(57)【特許請求の範囲】
【請求項１】
ワークである歯車を成形仕上げ加工するにあたり、機台に支持されたワーク支持軸及び仕上げ用成形工具を同期回転駆動するための歯車の噛合わせ方法であって、
前記ワーク支持軸及び成形工具を各々の制御モータにより同期駆動し、駆動位相を合わせ、
前記ワークと前記成形工具が噛合う位置まで前記ワーク支持軸と前記成形工具とを接近させ、
前記ワーク支持軸の駆動トルクを下げて制限し、
バックラッシュ零の位置まで前記ワーク支持軸と前記成形工具とを接近させ、
前記バックラッシュ零の位置における前記ワーク支持軸と前記成形工具との各制御モータの駆動位相を位相合致点として再設定し、
前記ワーク支持軸の駆動トルクの制限を解除し、
再設定した前記駆動位相の状態で各制御モータの駆動により前記ワーク支持軸及び前記成形工具を同期回転させることを特徴とする歯車の噛合わせ方法。
【請求項２】
ワーク支持軸及び仕上げ用成形工具を同期回転させつつ歯車を成形仕上げ加工する歯車仕上装置であって、
前記ワーク支持軸及び成形工具の各々に対して設けられこれらを同期駆動し得る制御モータと、
前記ワーク支持軸、仕上げ用成形工具及び制御モータを制御する制御装置と、
前記仕上げ用成形工具と前記歯車とが噛み合う位置に到達した後に前記ワーク支持軸用制御モータの駆動トルクを下げて制限する駆動トルク制限手段と、
前記仕上げ用成形工具と前記歯車との噛み合いがバックラッシュ零の状態となったことを検出するバックラッシュ零検出手段と、
前記バックラッシュ零の位置における前記ワーク支持軸と前記成形工具との各制御モータの駆動位相を位相合致点として再設定する駆動位相再設定手段とを備えたことを特徴とする歯車仕上装置。
【発明の詳細な説明】
【０００１】
【発明の属する技術分野】
本発明は、被研削歯車と仕上げ用成形工具とを同期回転駆動するための歯車の噛み合わせ方法、及び該方法に基づく歯車仕上装置に関する。
【０００２】
【従来の技術】
歯車に対しシェービング、ホーニング（ドレッシングを含む）等の仕上げ加工をする際には、内歯又は外歯の歯車状をした回転砥石又はカッター等の仕上げ用成形工具を使用し、被研削歯車と噛合させ、歯面同士のすべり接触を利用して研削を行なう。
【０００３】
通常の場合、成形工具が駆動され被研削歯車は成形工具との噛合の下に、成形工具に伴われて回転する、いわゆる連れ回り状態で加工される。但し、連れ回り状態での研削では被研削歯車の偏心や累積ピッチ誤差を強制的に修正する機構を持たず、その結果、高い精密度の加工が困難である。
【０００４】
これに対し、成形工具と被研削歯車との双方を駆動させつつ加工することにより、高い精度を得ることが可能となる。但し、これには、バックラッシュが零の状態で歯同士を噛合させる必要上、成形工具と被研削歯車とを高精度で同期回転させることが不可欠である。
【０００５】
高精度の同期回転を実現するため、種々の提案がなされてきたが、成形工具及び被研削歯車を停止さた状態で噛合させ、正逆回転を僅かずつ繰り返すなどして、切り込み方向への移動を行ないバックラッシュ零の状態を得てから、双方を駆動して同期回転させる形態が一般的である。例えば、特許第３０００６６８号に係る加工方法においては、被研削歯車を微少量ずつ正回転及び逆回転させ、各回転方向において成形工具が連れ回りを始める回転変位量を検出し、バックラッシュを零にするのに必要な成形工具の位置補正量を求め、その位置補正量に基づいて送りモータにより成形工具に送りを与えて同期化が図られる。
【０００６】
しかしながら、これらの方法では、センサによる成形工具との相対位置の検出を行なうために被研削歯車の微小回転を繰り返さねばならず、手間と時間を必要とするという欠点があった。また、上記従来の方法では、被研削歯車の研削が終わる毎に必ず成形工具を停止させ、新たな被研削歯車の装着後、再び成形工具の駆動を開始する必要がある。したがって、重量の大きい成形工具の駆動と停止が繰り返されることになり、加工の時間効率が悪く、手間も掛かるという難点があった。
【０００７】
【発明が解決しようとする課題】
本発明は、同期回転による歯車の仕上げ加工を行なう際に、被研削歯車の研削毎に成形工具を停止させる必要がなく、停止をさせた場合にも手間の掛かる成形工具の微小回転の繰り返しを必要とすることなく被研削歯車及び成形工具の連続回転を開始することができる歯車の噛み合わせ方法、及び該方法に基づく歯車仕上装置を提供することを目的とする。
【０００８】
【課題を解決するための手段】
本発明は、前記目的を達成するため、ワークである歯車を成形仕上げ加工するにあたり、機台に支持されたワーク支持軸及び仕上げ用成形工具を同期回転駆動するための歯車の噛合わせ方法であって、前記ワーク支持軸及び成形工具を各々の制御モータにより駆動し、前記ワーク支持軸の駆動トルクを制限した状態で、バックラッシュ零の位置まで前記ワーク支持軸と前記成形工具とを接近させ、前記バックラッシュ零の位置における前記ワーク支持軸と前記成形工具との各制御モータの駆動位相を位相合致点として再設定し、前記ワーク支持軸の駆動トルクの制限を解除し、各制御モータの駆動により前記ワーク支持軸及び前記成形工具を同期回転させることを特徴とする歯車の噛合わせ方法を提供するものである。
【０００９】
本発明はまた、前記目的を達成するため、ワーク支持軸及び仕上げ用成形工具を同期回転させつつ歯車を成形仕上げ加工する歯車仕上装置であって、前記ワーク支持軸及び成形工具の各々に対して設けられこれらを同期駆動し得る制御モータと、前記ワーク支持軸、仕上げ用成形工具及び制御モータを制御する制御装置と、前記仕上げ用成形工具と前記歯車とが噛み合う位置に到達した後に前記ワーク支持軸用制御モータの駆動トルクを制限する駆動トルク制限手段と、前記仕上げ用成形工具と前記歯車との噛み合いがバックラッシュ零の状態となったことを検出するバックラッシュ零検出手段と、前記バックラッシュ零の位置における前記ワーク支持軸と前記成形工具との各制御モータの駆動位相を位相合致点として再設定する駆動位相再設定手段とを備えたことを特徴とする歯車仕上装置を提供するものである。
【００１０】
【作用】
本発明に係る歯車の噛合わせ方法においては、ワークである歯車を研削仕上げ加工するにあたり、ワーク支持軸及び成形工具を各々の制御モータにより駆動し、ワーク支持軸の駆動トルクを制限した状態で、バックラッシュ零の位置までワーク支持軸と成形工具とを接近させる。ワーク支持軸は、駆動トルクを制限されているので、制限された駆動力を受けつつ、成形工具との接触により該成形工具に対し連れ廻りする状態となる。そして、バックラッシュ零の位置におけるワーク支持軸と成形工具との各制御モータの駆動位相を位相合致点として再設定する。これにより、ワーク支持軸と成形工具との各制御モータの駆動位相が正確に一致した状態で固定される。その後、ワーク支持軸の駆動トルクの制限を解除し、各制御モータの駆動によりワーク支持軸及び成形工具を同期回転させる。その結果、ワーク支持軸と成形工具とは、駆動位相が正確に一致した同期駆動されることとなる。
【００１１】
この状態で、切り込み量を漸増させて切削を行なえば、同期駆動による極めて高い精度の仕上げ切削を行なうことができるのである。
【００１２】
本発明に係る歯車仕上装置は、ワーク支持軸及び成形工具の各々に対して設けられこれらを同期駆動し得る制御モータと、ワーク支持軸、仕上げ用成形工具及び制御モータの制御装置と、ワーク支持軸用制御モータの駆動トルクを制限する駆動トルク制限手段と、前記噛み合いがバックラッシュ零の状態となったことを検出するバックラッシュ零検出手段と、バックラッシュ零の位置における前記ワーク支持軸と前記成形工具との各制御モータの駆動位相を位相合致点として再設定する駆動位相再設定手段とを備えているので、前述の噛合わせ方法を実施してワーク支持軸と成形工具とを、駆動位相が正確に一致した状態で同期駆動させることができる。
【００１３】
【発明の実施の形態】
以下、本発明の実施例につき、添付図面を参照しつつ説明する。図１，図２，図３は、各々本発明の一実施形態に掛かる歯車仕上装置の正面図、側面図、平面図である。
【００１４】
図示の歯車仕上装置は、機台Ｂに支持されたテーブル１０上で、保持装置により被研削歯車（ワーク）Ｗを保持するようになっている。保持装置は、テーブル上で相互に接近離反するように摺動可能であり各々ワーク支持軸を有する２台のヘッドストック３０，心押し台４０を備えている。機台Ｂにはさらに、砥石保持装置５０が装着されている。
【００１５】
図４は、この歯車仕上装置の動作部分を中心に示す正面図である。図示のように、一方（図において左）のヘッドストック３０は、テーブル１０に支持された心押し台本体３１と、該心押し台本体により回転可能に支持されたワーク支持軸３２と、心押し台本体３１に結合され該ワーク支持軸３２を回転させる駆動モータ３３とを備えている。他方（図において右）の心押し台４０は、テーブル１０に支持された心押し台本体４１と、該心押し台本体により回転可能に支持されたワーク支持軸４２とを備えている。
【００１６】
図５に示すように、ワーク支持軸４２は、心押し台本体４１に装着された図外の駆動装置により軸方向に進退動するクランプ軸４３を軸内部に備えている。したがって、クランプ軸４３を後退させた状態でワーク支持軸３２及び４２によりワークＷを支持し、その後クランプ軸４３を前進させることにより、ワーク支持軸上でワークＷを回転方向にクランプすることができる。ワーク駆動モータ３３は、以下に述べる制御を可能にするように、この例ではサーボモータとされている。
【００１７】
砥石保持装置５０は、図に示すように、ヘッドストック３０と心押し台４０との間に位置し回転砥石５１を支持するリング状のヘッド５２と、該ヘッド５２をワーク支持軸３２，４２に垂直な水平軸線回りに回動可能に支持する保持部５３とを備えている。図２及び図３に示すように、保持部５３は、ヘッド５２をワーク支持軸の回りに回転させるためのヘッド駆動モータ５３１、及びヘッド５２をワーク支持軸３２，４２に垂直な水平軸線回りに回動するためのヘッド傾動モータ５３２を備えている。ヘッド駆動モータ５３１の出力軸に固定された歯車５３３には、中間歯車５３４，５３５が噛合し、これらの中間歯車は、ヘッド５２の外周に設けられた歯に噛合してヘッド５２を駆動する。このように、駆動歯車に噛合する２個の中間歯車を介してヘッド５２の外周ギアを駆動することにより、簡単な構造でローバックラッシュを実現し、高精度、高速での同期噛合を確実にする。ヘッド駆動モータ５３１は、以下に述べる制御を可能にするように、この例ではＡＣスピンドルモータとされている。砥石保持装置５０には、機台上の切り込み駆動部６０が結合されている。切り込み駆動部６０は、水平駆動モータ６１の駆動によりワーク支持軸３２，４２に垂直な水平軸線に沿って移動可能であり、その移動によりヘッド５２及び回転砥石５１をワーク支持軸上のワークに接近離反させ、研削の際には切り込みを行なわせる。
【００１８】
なお、上記ヘッドストック３０，心押し台４０、ワーク駆動モータ３３、ヘッド駆動モータ５３１等の移動や回転の制御は、操作盤７１を備えた制御装置７０により行なわれる。
【００１９】
ヘッドストック３０には、ワーク位置決め装置８０が取り付けられている。ワーク位置決め装置は、成形工具との正確な噛合を得るためにワークの回転方向の正確な位置決めを行なうものであり、例えば以下のような構成とすることができる。ワーク位置決め装置８０は、図６に示すように、ヘッドストック３０におけるワーク取付側端部にボルトにより締結された固定部８１を備え、該固定部上のスライドガイド８２に摺動可能にアーム取付台８３が装着されている。アーム８４は、基端部をアーム取付台８３に固定され、先端部には、ワークＷの歯の間に進入し得る大きさの円錐状突起８５が取り付けられている。さらに、固定部８１には、駆動シリンダ８６が取り付けられ、これと協働するピストンロッド８７がアーム基端部に結合されている。したがって、アーム８４は、駆動シリンダ８６により駆動され、スライドガイド８２により案内されて、ワーク支持軸３２の径方向に摺動する。固定部８１にはドックプレート８８が固定され、該ドックプレートにアームの前進後退端検出用の近接スイッチ８９が取り付けられている。これにより、アーム８４は、ワークＷに噛合する前進位置とその噛合を解く後退位置との間を進退動する。前進時にアーム先端の突起８５は、図６のａ部詳細図に示すように、ワークＷの歯と噛合し、ワークの回転方向の位置決めを行なう。
【００２０】
ワーク駆動モータ３３及びヘッド駆動モータ５２１としては、前述のように回転方向の同期及び位相の正確な制御ができる制御モータが使用され、具体的にはサーボモータ又はＡＣスピンドルモータとされる。
【００２１】
次に、この歯車仕上装置のより詳細な構成を、図８にフローチャートで示した装置の操作手順と共に説明する。
【００２２】
回転砥石５１の位相は、回転砥石の歯又は溝の位置を読み取るエンコーダにより検知される。回転砥石５１をヘッド５２に新たに取り付けたときは、回転砥石を停止させ、手動モードでワーク支持軸上のワークと噛合させ、ワーク全周での噛合が均一化された状態で、回転砥石の位相の原点を設定する。
【００２３】
この準備ができた後、ヘッドストック３０のワーク駆動モータ３３をエンコーダにおける原点に復帰した状態にすることにより、ワーク駆動モータ３３をサーボロック状態にする。この操作の前又は後に、ワークＷをワーク支持軸に装着する。（ステップ１）
この後、ヘッド駆動モータ５３２を作動させてヘッド５２を駆動する。ヘッド５２の回転速度は、ワークＷの切削速度に適合したものとされる。ヘッドは、以後において停止指令が出るまで回転を続ける。その状態で、心押し台４０をヘッドストック３０に接近させ、ワ−ク支持軸３２，４２によりワークＷを保持する。ここでは、ワーク支持軸４２のクランプ軸４３は後退位置とされている。（ステップ２）
次にワーク位置決め装置８０のアーム８２を移動し、突起８５をワークＷの歯の間に進入させることにより、ワークＷの回転方向の位置決めをする。ワーク支持軸３２上のワークＷは、ワークＷの機械加工精度のバラツキ、熱処理による歪み、治具への取付誤差等から、ワークＷ自身の位相と駆動モータの位相とが必ずしも一致しない。そこで、ワーク位置決め装置８０により、ワークＷ自身の位相を正確に決めるのである。（図７Ａ）（ステップ３）
この突起８５との噛合状態を保ったまま、ワーク支持軸４２のクランプ軸４３を前進させ、ワーク支持軸３２，４２上でワークＷを回転方向に固定する。（ステップ４）
ワークＷとワーク位置決め装置８０との噛合状態を保ったまま、駆動モータ３３をサーボオフとする。これにより、ワーク支持軸３２は、回転方向に拘束のないフリーラン状態となる。前述のように、ワーク駆動モータ３３が原点復帰状態とされていても、ワーク支持軸３２上のワークＷの回転方向の位相は、種々の要因から駆動モータの位相とが必ずしも一致しない。したがって、ワーク位置決め装置８０との噛合により、ワークＷの位相が正確に決められる。したがって、通常は、ワーク位置決め装置８０により位置決めされたワークＷと原点復帰状態とされたワーク駆動モータ３３との間に僅かな回転方向のずれが生じる。このずれは、ワーク支持軸３２におけるワーク駆動モータ３３による支持箇所とワークＷの支持箇所との間において弾性ねじれ変形を生じる。したがって、ワークＷとワーク位置決め装置８０との噛合状態を保ったまま、ワーク駆動モータ３３をフリーラン状態とすることにより、ワーク支持軸３２はワーク駆動モータ３３による支持箇所において、ねじれ変形を戻すように僅かに回転する。（ステップ５）
ワーク駆動モータ３３をフリーラン状態とすることにより生じたワーク支持軸３２の僅かな修正回転量をエンコーダから読み取る。この場合、修正回転量が過大であると、異常信号を発する等して、初期の設定への戻りを促すよう設定しておくのが望ましい。読み取った修正回転量は、プログラマブルコントローラ又はマクロプログラムにより新たに原点位置として記憶される。（図７Ｂ）（ステップ６）
この状態から、ワーク位置決め装置８０をワークＷから遠ざけるように後退させる。（図７Ｃ）（ステップ７）
ワーク位置決め装置８０が後退した後、ワークと回転砥石との噛合わせ工程に入る。先ず、ワーク駆動モータ３３を作動させて、ワーク支持軸３２，４２を回転させる。これと平行して、テーブル１０を移動させ、ワークＷを回転砥石５１の中心に近づける。（図７Ｄ）（ステップ８）
ワークＷが回転砥石５１の中心に接近する間に、ワーク支持軸３２の同期及び位相合わせを行なう。すなわち、ワーク支持軸３２が回転砥石５１に対して同期速度となったことをワーク支持軸３２及びヘッド５２に結合されたエンコーダによって感知し、その後、前述のステップ５で修正された原点に基づいて位相合わせを行なう。これと平行して、切り込み駆動部６０を作動させ回転砥石５１をワークＷ側（ｚ軸方向）へ前進させる。（図７Ｅ）（ステップ９）
同期位相合わせ完了の後、回転砥石５１とワークＷの両歯先端が僅かに噛み合う位置まで回転砥石５１を更に前進させる。このとき、衝突による歯の破損防止のため、早送りではなく切削送りとするのが望ましい。（図７Ｆ）（ステップ１０）
回転砥石５１とワークＷの両歯先端が互いに十分に噛み合う位置に到達した後、ワーク駆動モータ３３の出力トルクを切削不能な程度まで下げる。（ステップ１１）
さらに、切り込み駆動部６０により回転砥石５１及びワークＷ間のバックラッシュが零になるまで、回転砥石５１の前進を続ける。バックラッシュ零の検出は、トルクコントロール機能に基づいて行なうことができる。バックラッシュの状態は、回転砥石５１及びワークＷの加工精度、熱処理による歪み、治具への取付誤差等により各歯の並び方向に均一ではない。これに対し、例えば以下の手段を適用することができる。水平駆動モータ６１によるｚ軸方向の送りトルクを一定にし、プログラマブルコントローラにより１スキャン（プログラマブルコントローラにおける送り制御プログラムの先頭からエンドまでの１巡の処理）毎に、前回と今回のｚ軸座標値を比較する。その差が零又は実質上零とみなせる小さい値になったときに、バックラッシュ零とする。或いは、予め手動モードでワークと回転砥石とを噛合させてバックラッシュ零となるｚ軸方向の回転砥石の位置を検出し、その検出データにより設定された位置まで回転砥石５１を前進させるようにしてもよい。（図７Ｇ）（ステップ１２）
バックラシュ零の位置となれば、回転砥石５１の前進を直ぐに停止する。この時、ワーク支持軸３２はトルク制限しているので、ワークＷは回転砥石５１に対し連れ廻りしている状態となっている。したがって、ステップ６で設定された電気的同期及び位相一致位置に対しずれが生じている。回転砥石５１及びワークＷ間のバックラッシュが零となった位置を正式にマスタ（回転砥石）とスレーブ（ワーク軸）の同期及び位相合致位置としてプログラマブルコントローラ等に認識させる。（ステップ１３）
以下、研削加工を開始することになるが、この方法には、以下に記述するように複数の選択可能な形態がある。
回転砥石５１をプランジ送りで前進させる（テーブルを固定したままヘッドを前進させる）と同時にワーク駆動モータ３３の出力トルクの制限を除々に解除していく。このとき 電気的位相ズレが発生しないようワーク駆動モータ３３のトルク及び回転砥石５１の送り速度を制御する。（ステップ１４）
上記ステップ１４に代えて、ワーク駆動モータ３３の出力トルク制限を解除して設定した最大値まで戻し定トルク切削を行なうこともできる。（ステップ１４Ａ）
その後、テーブル１０をワーク支持軸方向（図４の左右方向）に往復動させて研削を行なう。これには、テーブルが移動方向を切り換える毎に切り込み（Ｚ軸）を行なう。ワークＷが、ヘリカルギアの場合は、ヘリカル補正を行ないながら、研削を行なう。（ステップ１５）
上記ステップ１４Ａを採用する場合は、上記ステップ１５に代えて、一定のトルクで研削出来るよう、ワーク駆動モータ３３の電流等を検出して、水平駆動モータ６１による回転砥石５１の送り速度を自動調整しながらパラレル送りを行う。（ステップ１５Ａ）
パラレル送り中にクラウニング軸（Ｂ軸）を駆動してクラウニングを行なう。パラレル送りは、テーブル（Ｘ軸）の往復動における中心からの移動距離を除々に広げながら行なう。またテーブル（Ｘ軸）が方向を切り換わる毎に水平駆動モータ６１による前進動作を行なう（Ｚ軸）。そして、ワークの最終形状に対応する切り込み軸（ｚ軸）の設定位置に至るまで加工する。（ステップ１６）
設定位置に至った時、ワークＷの歯の反対側のフランクを研削するため、今までの方向と逆方向に同期位相をシフトする。位相シフトの量はプログラムで決定する。（ステップ１７）
両側のフランクの加工が終了したら、最終仕上げ加工を行うのが望ましい。これは、再びワーク駆動モータ３３をトルク制限し、ワーク支持軸を連れ廻り状態にして、切り込みを掛けず、テーブル送りとクラウニング加工をすることにより行なうことができる。（ステップ１８）
次に、回転砥石５１を後退させてワークＷから遠ざけ、その後、同期を解除することによりワーク駆動モータ３３を停止させる。さらに、テーブル１０、回転砥石５１、クラウニング軸の各軸（Ｘ軸，Ｚ軸，Ｂ軸）及びワーク駆動モータ３３を原点復帰させる。これにより、１個のワークＷの加工が終了し、次のワークの加工準備が整った状態となる。（ステップ１９）
【００２４】
【発明の効果】
本発明に係る歯車の噛合わせ方法においては、ワークである歯車を成形仕上げ加工するにあたり、ワーク支持軸及び成形工具を各々の制御モータにより駆動し、ワーク支持軸の駆動トルクを制限した状態で、バックラッシュ零の位置までワーク支持軸と成形工具とを接近させ、バックラッシュ零の位置におけるワーク支持軸と成形工具との各制御モータの駆動位相を位相合致点として再設定し、ワーク支持軸の駆動トルクの制限を解除し、各制御モータの駆動によりワーク支持軸及び成形工具を同期回転させる。したがって、ワーク支持軸は、一旦駆動トルクを制限され成形工具に対し連れ廻りする状態となり、その状態でバックラッシュ零の位置に至ったときに、ワーク支持軸と成形工具との各制御モータの駆動位相を位相合致点として再設定する。これにより、ワーク支持軸と成形工具との各制御モータの駆動位相を正確に一致した状態で固定し、その後、ワーク支持軸の駆動トルクの制限を解除して、各制御モータの駆動によりワーク支持軸及び成形工具を同期回転させる。その結果、ワーク支持軸と成形工具とは、駆動位相が正確に一致した同期駆動されることとなる。したがって、同期回転による歯車の仕上げ加工を行なう際に、被研削歯車の研削毎に成形工具を停止させる必要がなく、停止をさせた場合にも手間の掛かる成形工具の微小回転の繰り返しを必要とすることなく被研削歯車及び成形工具の連続回転を開始することができる。
【００２５】
本発明に係る歯車仕上装置は、ワーク支持軸及び成形工具の各々に対して設けられこれらを同期駆動し得る制御モータと、ワーク支持軸、仕上げ用成形工具及び制御モータの制御装置と、ワーク支持軸用制御モータの駆動トルクを制限する駆動トルク制限手段と、前記噛み合いがバックラッシュ零の状態となったことを検出するバックラッシュ零検出手段と、バックラッシュ零の位置における前記ワーク支持軸と前記成形工具との各制御モータの駆動位相を位相合致点として再設定する駆動位相再設定手段とを備えているので、前述の噛合わせ方法を実施して成形工具の連続回転による歯車の仕上げ加工を行なうことができる。
【図面の簡単な説明】
【図１】  本発明の一次実施形態に係る歯車仕上装置の正面図である。
【図２】  図１に示す歯車仕上装置の側面図である。
【図３】  図１に示す歯車仕上装置の平面図である。
【図４】  図１に示す歯車仕上装置の動作部分を中心に示す正面図である。
【図５】  図１に示す歯車仕上装置のワーク支持状態を中心に示す正面図であ
【図６】  図１に示す歯車仕上装置におけるワーク位置決め装置の使用状態を示す斜視図である。
【図７】  図１に示す歯車仕上装置による加工状体を示す説明図である。
【図８Ａ】  図１に示す歯車仕上装置のワーク支持状態の操作手順を示すフローチャートである。
【図８Ｂ】  図８Ａに続くフローチャートである。
【符号の説明】
１０  テーブル１０、      ２０  保持装置、
３０，４０  心押し台、    ３１  心押し台本体、
３２  ワーク支持軸、      ３３  ワーク駆動モータ、
４１  心押し台本体、      ４２  ワーク支持軸、
５０  砥石保持装置、      ５１  回転砥石、
５３  保持部、            ５３１  ヘッド駆動モータ、
６０  切り込み駆動部、    ８０  ワーク位置決め装置、
Ｗ  ワーク
【図１】
0004635142.tif 000002
【図２】
0004635142.tif 000003
【図３】
0004635142.tif 000004
【図４】
0004635142.tif 000005
【図５】
0004635142.tif 000006
【図６】
0004635142.tif 000007
【図７】
0004635142.tif 000008
【図８Ａ】
0004635142.tif 000009
【図８Ｂ】
0004635142.tif 000010